【手続補正書】
【提出日】平成20年11月20日(2008.11.20)
【手続補正１】
【補正対象書類名】特許請求の範囲
【補正対象項目名】全文
【補正方法】変更
【補正の内容】
【特許請求の範囲】
【請求項１】
少なくとも２つの支持部材間に移動可能に張設される無端状のベルトを備えたベルト搬送部と、
前記ベルトの表面に接触して設けられたクリーニング部材と、
前記ベルトと前記クリーニング部材との接触部より下方に設けられ、前記接触部に潤滑剤を供給する潤滑剤供給部と、
前記潤滑剤供給部より下方に設けられ、前記ベルトに付着し、前記クリーニング部材で掻き落とされた付着物を収納する付着物収納部と
を備えたことを特徴とする画像形成装置。
【請求項２】
前記潤滑剤供給部は、前記潤滑剤を堆積する潤滑剤堆積部材であることを特徴とする請求項１記載の画像形成装置。
【請求項３】
前記潤滑剤堆積部材は、棚状部材であることを特徴とする請求項２記載の画像形成装置。
【請求項４】
前記潤滑剤堆積部材は、前記付着物収納部に設けられることを特徴とする請求項２又は３記載の画像形成装置。
【請求項５】
前記潤滑剤堆積部材は、前記ベルトの表面と略平行に、且つ該ベルトの幅方向に延在して設けられることを特徴とする請求項３記載の画像形成装置。
【請求項６】
前記潤滑剤堆積部材は、前記接触部より３．０ｍｍ〜８．０ｍｍ下方の位置で、且つ前記接触部から前記ベルトの移動方向上流側に２．０ｍｍ〜３．０ｍｍ離れる位置に設けられる、又は前記接触部より５．０ｍｍ〜９．０ｍｍ下方の位置で、且つ前記接触部から前記ベルトの移動方向上流側に０．０ｍｍ〜１．０ｍｍ離れる位置に設けられる、又は前記接触部より１０．０ｍｍ下方の位置で、且つ前記接触部から前記ベルトの移動方向上流側に０．０ｍｍ離れる位置に設けられる
ことを特徴とする請求項５記載の画像形成装置。
【請求項７】
前記潤滑剤堆積部材は、前記ベルト幅方向端部における前記ベルト移動方向の幅が、中央部の幅より広いことを特徴とする請求項５又は６記載の画像形成装置。
【請求項８】
前記潤滑剤堆積部材は、前記画像形成装置が搬送可能な記録媒体の端部に対応する位置における前記ベルト移動方向の幅が、中央部の幅より広いことを特徴とする請求項５乃至７の何れかに記載の画像形成装置。  
【請求項９】
前記潤滑剤堆積部材は、弾性部材であることを特徴とする請求項３乃至５の何れかに又は４記載の画像形成装置。
【請求項１０】
前記潤滑剤供給部は、前記付着物収納部内に備えられ、前記付着物を攪拌する攪拌部材を有することを特徴とする請求項１記載の画像形成装置。
【請求項１１】
前記付着物は、トナーであることを特徴とする請求項１乃至１０の何れかに記載の画像形成装置。
【請求項１２】
前記付着物収容部材は、前記クリーニング部材によって掻き落とされたトナーを収容することを特徴とする請求項１１に記載の画像形成装置。
【請求項１３】
前記潤滑剤は、粉剤であることを特徴とする請求項第１乃至１２の何れかに記載の画像形成装置。
【請求項１４】
前記粉剤は、トナーであることを特徴とする請求項１３記載の画像形成装置。
【請求項１５】
前記トナーは、前記ベルトから掻き落とされたトナーであることを特徴とする請求項１４記載の画像形成装置。
【請求項１６】
前記ベルトは、対向して設けられた像担持体上のトナー像を記録媒体に転写する転写ベルトであることを特徴とする請求項１乃至１５の何れかに記載の画像形成装置。
【請求項１７】
表面にトナーが付着した状態で、付着したトナーを移動するトナー付着部材と、
前記トナー付着部材の表面に接触して設けられたクリーニング部材と、
前記トナー付着部材と前記クリーニング部材との接触部より鉛直方向の下方に設けられ、前記クリーニング部材で掻き落とされた前記トナーの一部を堆積するトナー堆積部材と、
前記クリーニング部材で掻き落とされた前記トナーを収納するトナー収納部と
を備え、
前記トナー堆積部材に堆積したトナーを潤滑剤として、前記接触部に供給することを特徴とする画像形成装置。
【請求項１８】
表面にトナーが付着した状態で、付着したトナーを移動するトナー付着部材と、
前記トナー付着部材の表面に接触して設けられたクリーニング部材と、
前記トナー付着部材と前記クリーニング部材との接触部の下方に設けられ、前記接触部に潤滑剤を供給する潤滑剤供給部と、
前記潤滑剤供給部より下方に設けられ、前記トナー付着部材に付着し、前記クリーニング部材で掻き落とされた付着物を収納する付着物収納部と
を備えたことを特徴とする画像形成装置。
【請求項１９】
前記潤滑剤供給部は、前記潤滑剤を堆積する潤滑剤堆積部材であることを特徴とする請求項１８記載の画像形成装置。
【請求項２０】
前記潤滑剤堆積部材は、棚状部材であることを特徴とする請求項１９記載の画像形成装置。
【請求項２１】
前記潤滑剤供給部は、前記付着物収納部内に備えられ、前記付着物を攪拌する攪拌部材を有することを特徴とする請求項１８記載の画像形成装置。
【請求項２２】
前記付着物は、トナーであることを特徴とする請求項１８乃至２１の何れかに記載の画像形成装置。
【請求項２３】
記録媒体を搬送するベルト搬送装置において、
少なくとも２つの支持部材間に移動可能に張設される無端状のベルトを備えたベルト搬送部と、
前記ベルトの表面に接触して設けられたクリーニング部材と、
前記ベルトと前記クリーニング部材との接触部より下方に設けられ、前記接触部に潤滑剤を供給する潤滑剤供給部と、
前記潤滑剤供給部より下方に設けられ、前記ベルトに付着し、前記クリーニング部材で掻き落とされた付着物を収納する付着物収納部と
を備えたことを特徴とするベルト搬送装置。
【手続補正２】
【補正対象書類名】明細書
【補正対象項目名】発明の名称
【補正方法】変更
【補正の内容】
【発明の名称】ベルト搬送装置及び画像形成装置
【手続補正３】
【補正対象書類名】明細書
【補正対象項目名】０００７
【補正方法】変更
【補正の内容】
【０００７】
本発明による他の画像形成装置は、
表面にトナーが付着した状態で、付着したトナーを移動するトナー付着部材と、前記トナー付着部材の表面に接触して設けられたクリーニング部材と、前記トナー付着部材と前記クリーニング部材との接触部より鉛直方向の下方に設けられ、前記クリーニング部材で掻き落とされた前記トナーの一部を堆積するトナー堆積部材と、前記クリーニング部材で掻き落とされた前記トナーを収納するトナー収納部とを備え、
前記トナー堆積部材に堆積したトナーを潤滑剤として、前記接触部に供給することを特徴とする。
本発明による更に他の画像形成装置は、
表面にトナーが付着した状態で、付着したトナーを移動するトナー付着部材と、前記トナー付着部材の表面に接触して設けられたクリーニング部材と、前記トナー付着部材と前記クリーニング部材との接触部の下方に設けられ、前記接触部に潤滑剤を供給する潤滑剤供給部と、前記潤滑剤供給部より下方に設けられ、前記トナー付着部材に付着し、前記クリーニング部材で掻き落とされた付着物を収納する付着物収納部とを備えたことを特徴とする。
また本発明によるベルト搬送装置は、記録媒体を搬送するベルト搬送装置であって、
少なくとも２つの支持部材間に移動可能に張設される無端状のベルトを備えたベルト搬送部と、前記ベルトの表面に接触して設けられたクリーニング部材と、前記ベルトと前記クリーニング部材との接触部より下方に設けられ、前記接触部に潤滑剤を供給する潤滑剤供給部と、前記潤滑剤供給部より下方に設けられ、前記ベルトに付着し、前記クリーニング部材で掻き落とされた付着物を収納する付着物収納部とを備えたことを特徴とする。
【手続補正４】
【補正対象書類名】明細書
【補正対象項目名】００７０
【補正方法】変更
【補正の内容】
【００７０】
このめくれの発生は、次の理由による。即ち、決まった大きさの記録用紙１０１を大量に印刷するような場合、記録用紙１０１の幅方向の端部は印刷範囲外であり、また、感光ドラム４３１と転写ベルト４６１が記録用紙１０１の厚みによって感光ドラム４３１と転写ベルト４６１の非接触部分が発生し、その部分にはトナーや紙粉などが付着し難いと考えられる。それにより記録用紙１０１の幅方向の端部では、転写ベルト４６１上にトナー４７１が付着しないため、転写ベルト４６１が移動してクリーニングブレード４６５と摺動する際に、クリーニングブレード４６５にトナー４７１が供給されず、クリーニングブレード４６５の表面に予め塗布してあるトナーが減少し、転写ベルト４６１とクリーニングブレード４６５との摩擦が増大するため、記録用紙１０１の幅方向の端部においてめくれが発生しやすくなる。